(57)【特許請求の範囲】
【請求項１】
ファスナーエレメント３の下部が対向するファスナー基布４、４の対向端縁間にわたり糸６をかがり縫いして下止代用７を形成したスライドファスナー１において、下止代用７の取り付け位置に続くファスナー基布４、４の外側端縁間にわたり布バンド８の両端縁をファスナー基布４、４の上面と空間を保持して縫着すると共に該空間にファスナー基布４、４の両端部４ａ、４ａを差し入れて両端部４ａ、４ａが布バンド８から外側へはみ出さないようにすると共に、糸６を切除して下止代用７を取り除きファスナーエレメント３と合うスライダー２を外して洗濯できるスライダー２の着脱を容易にしたことを特徴とするスライドファスナー。
【発明の詳細な説明】
【技術分野】
【０００１】
本発明はスライドファスナーに関する。    
【背景技術】
【０００２】
医師や看護師が着用した使用済みの白衣や、入院患者が着用した使用済みの介護用衣服には着替えし易いようにスライドファスナーを取り付けている。使用済の衣服はリネン業者が持ち帰り大型の業務用乾燥洗濯機を用いて洗濯した後、洗濯済みの白衣や介護用衣服を病院へ返納している。  
【０００３】
衣服に縫着した一対のファスナー基布に取り付けているファスナーエレメント（務歯）同士の噛み合わせと離脱をさせるスライダーは洗濯時に破損したり消失することが多く、その都度新品と交換する煩雑さを考慮して予めスライダーをファスナーエレメントから取り外し洗濯するとき、スライダーをファスナーエレメントから脱落しないようファスナーエレメントの下端に取り付けた下止（ストッパー）を取り除くことを要する。そこでファスナーエレメントの下止取り付け位置におけるファスナー基布同士を糸６でかがり縫いして下止とし、或は下止の取り外しが簡単な断面コ字形の下止部材１０を刺挿しているものもある。しかしながら、この場合、下止の取り付け位置に続くファスナー基布の両端部が衣服の面上に乱雑にはみ出し、はみ出し布を衣服自体に縫着しないと商品価値が下落すると共に、はみ出し布を放置すると身体に触れるため不快感がある。
【０００４】
又、スライダーを取り外して洗濯するスライドファスナーに係る発明としてファスナー本体に２個のスライダーを装着し、それぞれのスライド溝が閉じる側を互いに対向させ、ファスナー本体の両端部にスライド溝が通過可能な形状の第１部材と、スライド溝が通過不能な形状の第２部材とからなるストッパを、第１部材および第２部材の左右組み合わせがファスナー本体の一端部と他端部で互いに逆となるように取り付け、ストッパの第１部材をスライド溝を通過させて引き抜くと第１部材がスライダーから外れてファスナー本体が分離され、分離後の他端部に向けてスライダーをスライドさせ２個のスライダーを共に第１部材を通過させてファスナー本体から取り外すようにしている発明がある（例えば特許文献１）。
【０００５】
この場合、２個のスライダーが嵩高いため身体に触れると不快感があり、部品点数も多く生産コスト高となる。又、スライダー自身のデザイン、大小、厚み等を選択しなければならない。  
【特許文献１】特許第３０５６２１９号公報
【発明の開示】
【発明が解決しようとする課題】
【０００６】
下止の取り付け位置に続くファスナー基布の両端部が衣服の面上に乱雑にはみ出す場合、はみ出し布を衣服自体に縫着しないと商品価値が下落するため、はみ出し布を保護テープを用いて衣服に丁寧に縫合するという後始末を要する。又、前述の特許文献１に係るスライドファスナーの場合は２個のスライダーと、第１部材および第２部材からなるストッパを装着することを要するため、各部品が嵩高く衣服に取り付けると着用時に身体に触れ不快感があり又、スライダー交換時にスライダー自身のデザイン、大小、厚み等を選択しなければならない。本発明は簡便な手段により上記の問題点を解消することを目的とする。  
【課題を解決するための手段】
【０００７】
ファスナーエレメントの下部が対向するファスナー基布間にわたり糸をかがり縫いして下止代用を形成したスライドファスナーにおいて、下止代用の取り付け位置に続くファスナー基布の外側端縁間にわたり布バンドの両端縁をファスナー基布の上面と空間を保持し縫着してファスナー基布同士が離隔しないようにすると共に該空間へファスナー基布の両端部を差し入れて布バンドで被い、ファスナー基布両端部の、はみ出し布を衣服自体に縫合する手間を省略した。  
【発明の効果】
【０００８】
ファスナー基布の上面と布バンドの下面間に形成される空間に下止代用の取り付け位置から離隔したファスナー基布の両端部を差し入れると、ファスナー基布の両端部が布バンドに被われて布バンドからはみ出さないため体裁が良く又、両端部が身体に触れないので気障りな不快感がない。更に、両端部を衣服自体に縫い付ける余計な手間を要ない。又、本発明に係るスライドファスナーを取り付けた衣服は、洗濯時に糸をかがり縫いして形成した下止代用を切除することでスライダーをファスナーエレメントから簡単に取り外すことができるため、洗濯によるスライダーの破損を防止できる。又、スライダーを元のファスナー基布の両端部から容易にファスナーエレメントヘ噛み合わせて挿入できる。  
【発明を実施するための最良の形態】
【０００９】
図３は、コ字形部材からなる下止１０を示し、その開放脚杆をファスナー基布４、４下部の下止位置にわたり刺挿することによりファスナー基布４、４同士が離れないようにしてスライダー２の交換時に、下止１０を手指で把持して簡単に引き抜くことができる従来例を示している。
【００１０】
図４は従来のスライドファスナー１１を示す一部切欠正面図であり、スライ
ダー１２のスライド溝に装入され滑動するファスナーエレメント１３をファスナー基布１４、１４に取り付け、ファスナーエレメント１３の下部に下止１５を、上部に上止１６を取り付けている。  
【００１１】
図１は本発明に係るスライドファスナーを医師が用いるガウンタイプの白衣９の腰部９ａに至るまで取り付けた状態を示す正面図であり、図２は図１におけるＡ矢視部拡大図である。
【００１２】
ファスナーエレメント３（務歯）同士の噛み合わせと離脱をさせるスライダー２はファスナーエレメント３に滑動自在に装入され、一対のファスナー基布４、４に取付けられている各ファスナーエレメント３の上部に一対の上止５、５を取付けると共に、ファスナーエレメント３の下部において対向するファスナー基布４、４間を糸６でかがり縫いし縫合することにより矢印で示す下止代用７を形成してスライダー２を引き下げたときファスナー基布４、４の下部からスライダー２が離脱しないようにしたスライドファスナーにおいて、下止代用７の取り付け位置に続くファスナー基布４、４の外側端縁間にわたり布バンド８の両端縁を縫着してファスナー基布４、４同士が離隔しないようにすると共に、布バンド８の下面とファスナー基布４、４の上面の間に形成される空間にファスナー基布４、４の両端部4ａ、4ａを差し入れ布バンド８で被うと共に布バンド８からはみ出さないようにした。
【００１３】
本発明に係るスライドファスナーは、上記の白衣９のみに限定されず、広く一般に着用されている衣類や、洗濯時に洗濯物を入れるための洗濯用ネット、布団や毛布のカバー等に設けているスライドファスナーに適用できるものである。
【産業上の利用可能性】
【００１４】
リネン業者が大量に集荷した業務用の白衣や介護用衣服の洗濯を迅速に行うことができ、病院等への返納を短期間に効率良くできる利点があるのみならず、一般的な衣服、洗濯用ネット、布団や毛布のカバー等に装着したスライドファスナーおいてもスライダー交換が容易であるため商品価値の高いスライドファスナーとして市場価値が高い。  
【図面の簡単な説明】
【００１５】
【図１】本発明に係るスライドファスナーを示す要部切欠正面図。
【図２】図１におけるＡ矢視部拡大図。
【図３】従来のコ字形部材からなる下止１０を示す正面図。
【図４】従来のスライドファスナー１１を示す一部切欠正面図。
【００１６】
２．スライダー  ３．ファスナーエレメント  ４．ファスナー基布４ａ．ファスナー基布の両端部  ６．糸  ７．下止代用
８．布バンド  ９．白衣
【図１】
0004541350.tif 000002
【図２】
0004541350.tif 000003
【図３】
0004541350.tif 000004
【図４】
0004541350.tif 000005